(57)【要約】【課題】器具を一切用いずに、フロントガラス用ワイパーの側面にアームの前端部を取り付けるためのコネクタを提供する。【解決手段】横方向ロッド３２によって、ワイパーブレード１２の連結要素２０に横方向に取り付けられるコネクタ１０であり、連結要素２０の取付け位置に、コネクタ１０を横方向に固定する上部横方向バー３８を備えている。ワイパーアーム１６の前端部１４は、後方に開口してＵ型に曲がっている。コネクタ１０は、前端部１４が係合するボディ２８と、このボディ２８によって互いに連結された２つのチークプレート３０を備え、チークプレート３０間にワイパーアーム１６の前端部１４が受容される。コネクタ１０は、弾性フックまたは相補形状同士の協働によって、ワイパーアーム１６の前端部１４に着脱可能に固定される。ボディ２８と２つのチークプレート３０は、単一部品となっている。【選択図】図１
2007534547.tif 000002
【特許請求の範囲】
【請求項１】
フロントガラス用ワイパーブレードユニット（１２）を、横軸（Ａ）を中心として回動可能に、フロントガラス用ワイパーアーム（１６）の長手方向前端部（１４）に取り付けるためのコネクタ（１０）において、
前記ワイパーアーム（１６）の前端部（１４）は、後方に開口したＵ型をなすように曲がり、かつ前方に凸状のＵ型前部（２６）によって互いにつながっている上部アーム（２２）と下部アーム（２４）の２つの平行な長手方向アームを備えており、
前記コネクタ（１０）は、ワイパーブレードユニット（１２）の結合要素（２０）の長手方向左側垂直面（２０ｇ）に当接する横方向右側へ移動させることによって、前記結合要素（２０）に取り付けられ、
前記コネクタ（１０）は、前記結合要素（２０）内に受容される右側部、および前記コネクタ（１０）内に受容される左側部を有する横方向ロッド（３２）を介して、前記結合要素（２０）に対して回動可能であり、
前記コネクタ（１０）は、前記結合要素（２０）に取り付けられる取付け位置に、このコネクタ（１０）を横方向に固定する上部横方向バー（３８）を備えており、
前記コネクタ（１０）は、前記ワイパーアーム（１６）の前端部（１４）の周りに係合するボディ（２８）と、このボディ（２８）によって互いに連結された、間に前記ワイパーアーム（１６）の前端部（１４）を受容する２つの垂直の長手方向側面チークプレート（３０）を備えており、
前記コネクタ（１０）は、弾性的な嵌合または相補形状同士の協働によって、前記ワイパーアーム（１６）の前端部（１４）に着脱可能に固定され、
前記ボディ（２８）と、前記２つの垂直の長手方向側面チークプレート（３０）とは単一部品となっていることを特徴とするコネクタ（１０）。
【請求項２】
コネクタ（１０）のボディ（２８）は、円柱状であって、ワイパーアーム（１６）の前端部（１４）が前記ボディ（２８）の周りに係合している際に、前記ワイパーアーム（１６）の前端部（１４）の内側で回動できるようになっており、
側面チークプレート（３０）は、前記コネクタ（１０）が前記ワイパーアーム（１６）の前端部（１４）で回動するのを防止するべく、前記コネクタ（１０）を固定するための固定手段を備えていることを特徴とする、請求項１に記載のコネクタ（１０）。
【請求項３】
コネクタ（１０）は、側面チークプレート（３０）の上縁（３０ｓ）の後端部を連結する上部ブリッジ（４４）を備え、ワイパーアーム（１６）の前端部（１４）の上部アーム（２２）が、前記上部ブリッジ（４４）の底面に当接するようになっており、
前記チークプレート（３０）の内側を向く長手方向垂直面（３０ｉ）は、前記ワイパーアーム（１６）の前端部（１４）の上部アーム（２２）を前記ブリッジ（４４）の底面に当接させて固定する弾性突出部（４２）を備えていることを特徴とする、請求項２に記載のコネクタ（１０）。
【請求項４】
ブリッジ（４４）は、ボディ（２８）に対して、コネクタ（１０）の長手方向後方にオフセットし、かつ横方向バー（３８）によって、横方向右側に延長されていることを特徴とする、請求項３に記載のコネクタ（１０）。
【請求項５】
チークプレート（３０）の長手方向前端部が、ワイパーアーム（１６）の前端部（１４）のＵ型前部（２６）の前側が長手方向に当接する少なくとも１つの前側横部材（４６）によって連結されていることを特徴とする、請求項２〜４のいずれかに記載のコネクタ（１０）。
【請求項６】
コネクタ（１０）は、ワイパーアーム（１６）の前端部（１４）、ボディ（２８）、およびチークプレート（３０）を受容する後方に開口した中空ハウジングを画定しているキャップ（７２）を備えており、
このキャップ（７２）の右側の長手方向垂直フランジ（７４）に、ロッド（３２）と協働して、前記コネクタ（１０）を前記ワイパーアーム（１６）の前端部（１４）に着脱可能に固定するための開口（７８）が形成されていることを特徴とする、請求項１に記載のコネクタ（１０）。
【請求項７】
開口（７８）は、ロッド（３２）を、その開口（７８）内に固定するためのくびれ部（８０）を備えていることを特徴とする、請求項６に記載のコネクタ（１０）。
【請求項８】
キャップ（７２）は、Ｕ型壁部（７６）によって互いに連結された、ほぼ垂直長手方向を向く２つの平行な側面フランジ（７４）を備えていることを特徴とする、請求項７に記載のコネクタ（１０）。
【請求項９】
Ｕ型壁部（７６）は、その内面（７６ｉ）に沿って延在する内部溝（８４）を備えており、かつこの内部溝（８４）は、ワイパーアーム（１６）の前端部（１４）の相補部を受容するようになっていることを特徴とする、請求項８に記載のコネクタ（１０）。
【請求項１０】
コネクタ（１０）は、ワイパーアーム（１６）の前端部（１４）に対するワイパーブレードユニット（１２）の回動軸（Ａ）に対して前側下方に位置する横軸（Ｂ）を中心に、チークプレート（３０）に対して回動するように取り付けられたカバー（９６）を備えており、
このカバー（９６）は、前記ワイパーアーム（１６）の前端部（１４）を、この前端部（１４）が前記コネクタ（１０）のボディ（２８）の周りに係合する係合位置に長手方向に固定する閉位置と、前記ワイパーアーム（１６）の前端部（１４）が前記コネクタ（１０）のボディ（２８）に対して長手方向に移動できる開位置との間で回動できることを特徴とする、請求項１に記載のコネクタ（１０）。
【請求項１１】
カバー（９６）は、長手方向の垂直面において、逆Ｌ型の断面形状であって、ワイパーアーム（１６）の前端部（１４）の上部アーム（２２）の上に水平方向に延在する長い壁部（８６）と、前記ワイパーアーム（１６）の前端部（１４）のＵ型前部（２６）の前方に位置する、前記長い壁部（８６）の長手方向前端部から垂直下方に延びる短い壁部（８８）を備えていることを特徴とする、請求項１０に記載のコネクタ（１０）。
【請求項１２】
カバー（９６）の長い壁部（８６）は、ワイパーアーム（１６）の前端部（１４）の上部アーム（２２）と協働して、前記カバー（９６）を閉位置に固定するフック（９４）を備えていることを特徴とする、請求項１１に記載のコネクタ（１０）。
【請求項１３】
横方向バー（３８）は、カバー（９６）の長い壁部（８６）の長手方向後端部から横方向右側に延びていることを特徴とする、請求項１１または１２に記載のコネクタ（１０）。
【請求項１４】
ボディ（２８）は、ワイパーアーム（１６）の前端部（１４）と相補的な長手方向に細長い長円状であることを特徴とする、請求項６〜１３のいずれかに記載のコネクタ（１０）。
【請求項１５】
横方向ロッド（３２）の左部は、この左部の周りに、コネクタ（１０）のボディ（２８）がオーバーモールドされて、ボディ（２８）に固定されていることを特徴とする、請求項１〜１４のいずれかに記載のコネクタ（１０）。
【請求項１６】
コネクタ（１０）は、プラスチック材料の成形によって、一体物に一体成形されていることを特徴とする、請求項１〜５のいずれかに記載のコネクタ（１０）。
【発明の詳細な説明】
【技術分野】
【０００１】
本発明は、Ｕ型フックの形態のフロントガラス用ワイパーアームを、フラットブレード型のフロントガラス用ワイパーブレードユニットの結合要素に連結するためのコネクタに関する。
【０００２】
本発明は、詳細には、フロントガラス用ワイパーブレードユニットを、横軸を中心に回動可能に、フロントガラス用ワイパーアームの長手方向前端部に取り付けるためのコネクタに関する。
【０００３】
ワイパーアームの前端部は、後方に開口したＵ型をなすように曲がり、前方に凸状のＵ型前部によって互いにつながっている上部アームと下部アームの２つの平行な長手方向アームを備えている。
【０００４】
このコネクタは、ワイパーブレードユニットの結合要素の左側の長手方向垂直面に当接する横方向右側への移動によって、結合要素に取り付けられる。
【０００５】
このコネクタは、結合要素内に受容される右側部、およびコネクタ内に受容される左側部を有する横方向ロッドを介して結合要素に対して回動可能である。
【０００６】
このコネクタは、結合要素に取り付けられる取付け位置にこのコネクタを横方向に固定する上部横方向バーを備えている。
【０００７】
このコネクタは、ワイパーアームの前端部の周りに係合するボディと、このボディによって互いに連結された、間にワイパーアームの前端部を受容する２つの垂直の長手方向側面チークプレートを備えている。
【０００８】
このコネクタは、弾性的な嵌合または相補形状同士の協働によって、ワイパーアームの前端部に着脱可能に固定される。
【背景技術】
【０００９】
薄型のフロントガラス用ワイパーでは、ワイパーブレード本体、すなわちゴム（スクイージー）を保持するフロントガラス用ワイパーアームのヒンジ構造、例えば、フラットブレードユニットとも呼ばれるワイパーブレードユニット本体を構成する可撓性ワイパーブレードに結合されるバックボーン部材、またはバックボーン部材に類似する構造補強要素が省かれている。
【００１０】
ブレードユニットは、フロントガラス用ワイパーの全高を低減させるべく、駆動アームの端部に対して、回動するように取り付けられている。
【００１１】
広く用いられている設計では、フロントガラス用ワイパーは、端部を後方に曲げて、後方に開口したＵ型となっている金属ロッドから構成されている。
【００１２】
アームの前端部が、比較的大きな空間を占めるため、このアームを、フロントガラス用ワイパーブレードユニットの側面に取り付けることが提案されている。
【００１３】
欧州特許公開第３２３６０１号に、アームの前端部を、ワイパーブレードユニットの側面に取り付けるためのコネクタが開示されている。
【００１４】
この文献では、コネクタは、アームの前端部の両側に、ネジによって互いに固定される２つの側部を備えている。
【００１５】
このようなネジを用いたコネクタを組立てるには、ネジ回し器具をもって、ネジを締めなければならないため、相当に手間が掛かる。
【発明の開示】
【発明が解決しようとする課題】
【００１６】
本発明は、上記の問題点を解決するためになされたものであり、アームの前端部への取付けに、器具を一切用いることなく、フロントガラス用ワイパーの側面に、アームの前端部を取り付けるコネクタを提供することを目的としている。
【課題を解決するための手段】
【００１７】
そのため本発明は、ボディ２８と２つの垂直方向縦型のチークプレート３０が、単一部品となっていることを特徴とする上記したタイプのコネクタを提供するものである。
【００１８】
本発明の他の特徴は、次の通りである。
・コネクタのボディは、円柱状であって、ワイパーアームの前端部がボディの周りに係合している際に、この前端部の内側で回動できるようになっており、側面チークプレートは、コネクタがワイパーアームの前端部で回動するのを防止するべく、コネクタを固定するための固定手段を備えている。
・コネクタは、側面チークプレートの上縁の後端部を連結する上部ブリッジを備え、ワイパーアームの前端部の上部アームが、上部ブリッジの底面に当接するようになっており、チークプレートの内側を向いた長手方向垂直面が、ワイパーアームの前端部の上部アームをブリッジの底面に当接させて固定する弾性突出部を備えている。
・ブリッジは、ボディに対して、コネクタの長手方向後方にオフセットし、かつ横方向バーによって横方向右側に延長されている。
・チークプレートの長手方向前端部は、ワイパーアームの前端部のＵ型前部の前側が長手方向に当接する少なくとも１つの前側横部材によって連結されている。
・コネクタは、ワイパーアームの前端部、ボディ、およびチークプレートを受容する後方に開口した中空ハウジングを画定しているキャップを備えており、このキャップの右側の長手方向垂直フランジに、ロッドと協働してコネクタをワイパーアームの前端部に着脱可能に固定するための開口が形成されている。
・開口は、ロッドをその開口内に固定するためのくびれ部を備えている。
・キャップは、Ｕ型壁部によって互いに連結された、おおむね垂直長手方向に延在する２つの平行な側面フランジを備えている。
・Ｕ型壁部は、その内面に沿って延在する内部溝を備えており、この内部溝は、ワイパーアームの前端部の相補部を受容するようになっている。
・コネクタは、ワイパーアームの前端部に対するワイパーブレードユニットの回動軸Ａに対して、前側下方に位置する横軸Ｂを中心に、チークプレートに対して、回動するように取り付けられたカバーを備えており、このカバーは、ワイパーアームの前端部を、この前端部が、コネクタのボディの周りに係合する係合位置に長手方向に固定する閉位置と、ワイパーアームの前端部がコネクタのボディに対して長手方向に移動できる開位置との間で回動できるようになっている。
・カバーは、長手方向垂直平面において、逆Ｌ型の断面形状であり、ワイパーアームの前端部の上部アームの上に水平方向に延在する長い壁部と、ワイパーアームの前端部のＵ型前部の前方に位置する、長い壁部の長手方向前端部から、垂直下方に延びる短い壁部を備えている。
・カバーの長い壁部は、ワイパーアームの前端部の上部アームと協働して、カバーを閉位置に固定するフックを備えている。
・横方向バーは、カバーの長い壁部の長手方向後端部から、横方向右側に延びている。
・ボディは、ワイパーアームの前端部に相補的な長手方向に細長い長円状である。
・横方向ロッドの左部は、この左部の周りにコネクタのボディがオーバーモールドされ、そのボディに固定されている。
・コネクタは、プラスチック材料の成形によって、一体物となるように、一体成形されている。
【００１９】
本発明の他の特徴および利点は、添付の図面を参照しながら、発明の理解を容易にする以下の詳細な説明を読めば、明らかになると思う。
【発明を実施するための最良の形態】
【００２０】
本発明の説明において、垂直方向、長手方向（縦方向）、および横方向は、限定目的ではないが、それぞれ、図面に示す基準座標系Ｖ、Ｌ、Ｔの方向を指すものとする。
【００２１】
前‐後の方向は、図１の長手方向である左‐右の方向を指すものとする。
【００２２】
以下の説明において、同一要素または類似要素には、同じ符号を付してある。
【００２３】
図１は、フロントガラス用ワイパーアーム１６の長手方向前端部１４に、フロントガラス用ワイパーブレードユニット１２を取り付けることができるコネクタ１０を示している。このコネクタ１０では、ワイパーブレードユニット１２が、アーム１６の前端部１４に対して横軸Ａを中心に回動可能である。
【００２４】
フロントガラス用ワイパーブレードユニット１２は、フラットブレード型のワイパーブレードユニットである。したがって、フロントガラス用ワイパーブレードユニット１２は、構造要素（不図示）に結合されたワイパーブレード本体１８、このワイパーブレード本体１８の長手方向の実質的に中間に配置された結合要素２０、およびこの結合要素に取り付けられるコネクタ１０を備えている。
【００２５】
ワイパーアーム１６の前端部１４は、後方が開口したＵ型のフック型端部であるため、前方に、凸状のＵ型前部２６によって互いにつながっている上部アーム２２と下部アーム２４の２つの平行な長手方向アームを有する。
【００２６】
フロントガラス用ワイパーブレードユニット１２を、ワイパーアーム１６の前端部１４に取り付けできるように、コネクタ１０は、ワイパーアーム１６の前端部１４に着脱可能に固定でき、かつ結合要素２０に対して、横軸Ａを中心に回動できるように構成されている。
【００２７】
フロントガラス用ワイパーブレードユニット１２を、ワイパーアーム１６の前端部１４に取り付けできるように、コネクタ１０は、ボディ２８を備えており、このボディ２８の周りに、ワイパーアーム１６の前端部に係合し、ボディ２８の前面２８ａが、Ｕ型前部２６の横方向の後面２６ｂを長手方向前方に支持する。
【００２８】
コネクタ１０はまた、ボディ２８によって互いに連結された２つの垂直の長手方向側面チークプレート３０を有する。コネクタ１０が、ワイパーアーム１６の前端部１４に結合されると、このワイパーアーム１６の前端部１４は、２つの垂直の長手方向側面チークプレート３０間に受容される。
【００２９】
取付けを単純かつ容易にするために、２つの垂直の長手方向側面チークプレート３０とボディ２８を単一部品としてある。この部品は、一体物に成形したものとすることができる。
【００３０】
別の実施形態では、ボディ２８を、垂直の長手方向側面チークプレート３０に固着する。具体的には、ボディ２８を、垂直の長手方向側面チークプレート３０と一体成形する。
【００３１】
コネクタ１０は、結合要素２０の側面、この例では、結合要素２０の左側に取り付けられ、結合要素２０の左側の長手方向垂直面２０ｇに支持されている。
【００３２】
コネクタ１０は、横方向ロッド３２によって、結合要素２０に対して回動することができる。横方向ロッド３２は、一側が、ボディ２８の相補的なハウジング内に受容され、他側が、結合要素２０の相補的なハウジング３４内に受容されている。
【００３３】
横方向ロッド３２は、回動軸Ａとなるように、円形の断面を有する円柱状である。特に、図１から分かるように、ロッド３２の左部は、コネクタに固定され、ロッド３２の右部は、ハウジング３４内に受容されている。
【００３４】
このため、図４から分かるように、ロッド３２の横方向左端部３２ｇは、その周りにコネクタ１０のボディ２８が、オーバーモールドしてコネクタ１０に固定されており、ロッド３２は、コネクタ１０に対して、このロッド３２が横方向に移動するのを防止する溝付き要素３６を備えている。
【００３５】
しかし、図５に示す横方向ロッド３２の別の実施形態では、ロッド３２の右部は、結合要素２０に固定され、ロッド３２の左部は、コネクタ１０のボディ２８のハウジング３５内に回動可能に受容されている。
【００３６】
コネクタ１０は、上部横方向バー３８も備えている。この上部横方向バー３８は、右チークプレート３０から、横方向右側に向かって延びており、横方向右端部３８ｄは、下方に曲がっている。
【００３７】
コネクタ１０を、結合要素２０に取り付けると、横方向バー３８は、結合要素２０を跨いで、その上に延在し、横方向右端部３８ｄが、結合要素２０の右端の長手方向垂直面２０ｄを支持して、コネクタ１０が、結合要素２０に対して横方向左側に移動するのを防止している。
【００３８】
結合要素２０の上面２０ｓは、横方向バー３８を部分的に受容するように構成された、上方に開口した横方向溝４０を備えている。
【００３９】
上記したように、コネクタ１０は、これをワイパーアーム１６の前端部１４に取り付けるためのボディ２８および側面チークプレート３０を備えている。
【００４０】
コネクタ１０はまた、これをワイパーアーム１６の前端部１４に固定するための手段を備えている。
【００４１】
本発明によると、コネクタ１０をワイパーアーム１６の前端部１４に固定するためのこの手段は、弾性的な嵌合と相補形状同士の協働によって固定する手段からなっている。
【００４２】
図１〜図５に示す第１の実施形態では、この固定手段は、チークプレート３０の内面を向く長手方向垂直面３０ｉから、コネクタ１０の内部に向かって横方向に延びる突出部４２を有する。この突出部４２は、ボディ２８の長手方向後側に位置している。
【００４３】
固定手段は、チークプレート３０の各長手方向上縁３０ｓを互いに連結する上部ブリッジ４４を備えている。この上部ブリッジ４４は、突出部４２の長手方向上方に位置している。
【００４４】
さらに、コネクタ１０のボディ２８が円柱状であるため、ワイパーアーム１６の前端部１４がボディ２８の周りに係合すると、コネクタ１０は、ワイパーアーム１６の前端部に対して回動できる。
【００４５】
突出部４２と上部ブリッジ４４は、コネクタ１０がワイパーアーム１６の前端部で回動しないように、ワイパーアーム１６の前端部１４の上部アーム２２の一部を受容するハウジングを画定している。
【００４６】
コネクタ１０は、Ｕ型前部２６の凸状前面２６ａに当接する横部材１６によって、ワイパーアーム１６の前端部１４に対して、長手方向後方に移動するのが防止されている。
【００４７】
図２Ａから分かるように、コネクタ１０は、まず、ワイパーアーム１６の前端部１４を、コネクタ１０のボディ２８の周りに係合させて前端部１４に取り付ける。このためには、まず、コネクタ１０を、その取付け位置から、９０度回動させる必要がある。
【００４８】
次に、コネクタ１０を、矢印Ｆ１で示すように、ワイパーアーム１６の前端部１４に対して、長手方向前方に移動させ、コネクタ１０のボディ２８を、Ｕ型前部２６の凹状後面２６ｂに当接させ、ボディ２８を、ワイパーアーム１６の前端部１４のアーム２２と２４との間に係合させる。
【００４９】
次に、図２Ｂから分かるように、コネクタ１０を、矢印Ｆ２で示すように、ワイパーアーム１６の前端部１４に対して回動させ、図２Ｃに示すように、前端部１４の上部アーム２２を、上部ブリッジ４４に当接させる。
【００５０】
突出部４２は、上部アーム２２が突出部４２間を通過できるように、コネクタ１０が回動する際に、横方向に引込み、前端部１４の上部アーム２２が、上部ブリッジ４４に当接すると、初期位置に弾性的に戻り、これにより、前端部１４の上部アーム２２は、上部ブリッジ４４と突出部４２との間に保持される。
【００５１】
好適な実施形態では、上部リッジ４４は、横方向バー３８と同じ長手方向位置にあるため、この横方向バー３８によって、横方向右側に延長されている。
【００５２】
別の実施形態では、コネクタは、ワイパーブレードユニット１２を、様々なサイズを有するワイパーアーム１６の前端部１４に取り付けできるように構成されている。例えば、図示の例では、ワイパーアーム１６の前端部１４のアーム２２および２４の厚さ「ｅ」を、２つの異なる値とすることができる。
【００５３】
このため、コネクタは、図４から分かるように、ワイパーアーム１６の前端部１４の各サイズに対応した２つのハウジング４８を画定している、ボディ２８に結合された２つの横部材４６を有する。
【００５４】
図６〜図８は、コネクタ１０の別の実施形態を示している。この実施形態では、ボディ２８、チークプレート３０、および横方向ロッド３２が、コネクタ１０の第１の部分７０を形成しており、この第１の部分７０の周りに、ワイパーアーム１６の前端部１４が係合するようになっている。
【００５５】
この実施形態では、コネクタ１０は、ワイパーアーム１６の前端部１４およびコネクタ１０の第１の部分７０を覆って、コネクタ１０をワイパーアーム１６の前端部１４に固定する中空キャップ（第２の部分）７２を有する。
【００５６】
キャップ７２は、Ｕ型壁部７６によって互いに連結された、間にチークプレート３０を受容する２つの垂直の長手方向側面フランジ７４を有する。このＵ型壁部７６は、ワイパーアーム１６の前端部１４の外面１４ｅを覆っている。
【００５７】
キャップ７２の右側フランジ７４は、フランジ７４の後方垂直縁７４ａにおいて開口した長手方向開口７８を備えている。キャップ７２を、ワイパーアーム１６の前端部１４の周りおよびコネクタ１０の第１の部分の周りに取り付けると、横方向ロッド３２が、この長手方向開口７８内に係合する。
【００５８】
キャップ７２は、横方向ロッド３２が開口７８内に嵌合すると、ワイパーアーム１６の前端部１４の周り、およびコネクタ１０の第１の部分の周りに取り付けられた位置に固定される。
【００５９】
このために、開口７８は、横方向ロッド３２が通過できるように弾性変形し、かつキャップ７２が取り付けられると、横方向ロッド３２の後方当接部となるように構成されたくびれ部８０を備えている。
【００６０】
したがって、くびれ部８０は、開口７８に前ハウジング８２を画定している。横方向ロッド３２が、この前ハウジング８２内に弾性的に係合して、キャップ７２、従ってコネクタが、ワイパーアーム１６の前端部１４に取り付けられた位置に固定される。
【００６１】
図８に示す好適な実施形態では、キャップ７２のＵ型壁部７６は、その内面７６ｉに沿って延在する内部溝８４を備えている。この内部溝８４は、Ｕ型壁部７６の曲線形状に一致しており、ワイパーアーム１６の前端部１４の外側部分を受容できるようになっている。
【００６２】
横方向バー３８は、キャップ７２と一体に形成され、Ｕ型壁部７６の後方上端部から右に向かって、横方向に延びている。
【００６３】
図９および図１０は、本発明のコネクタ１０の更に別の実施形態を示している。この実施形態では、コネクタ１０は、チークプレート３０のボディ２８および横方向ロッド３２からなる第１の部分７０を有する。この第１の部分７０は、長手方向前方に移動して、ワイパーアーム１６の前端部１４に係合するようになっている。
【００６４】
コネクタ１０はまた、第１の部分７０に対して回動可能に取り付けられたカバー９６を有する。このカバー９６は、第１の部分７０をワイパーアーム１６の前端部１４に係合させることができる開いた第１の位置と、第１の部分７０がワイパーアーム１６の前端部１４に係合した係合位置に、この第１の部分７０を固定する第２の位置との間で回動できる。
【００６５】
この例では、カバー９６は、曲線状のＬ型ストリップからなっている。カバー９６が固定位置にある場合、Ｌ型ストリップの長い壁部８６は、ワイパーアーム１６の前端部１４の上部アーム２２の上に水平方向に延在し、短い壁部８８は、ワイパーアーム１６の前端部１４のＵ型前部２６の前に垂直に延在する。
【００６６】
カバー９６は、コネクタ１０の第１の部分７０に対して前方に、第２の横軸Ｂを中心に９０度回動できるように取り付けられている。第２の横軸Ｂは、横軸Ａに対して長手方向および垂直方向にオフセットしているため、カバー９６が開いた位置にある場合、長い壁部８６は、図９に示すように、短い壁部から垂直上方に延在する。
【００６７】
この例では、第２の横軸Ｂは、コネクタ１０の第１の部分７０の前方底部の角に位置している。
【００６８】
この例では、カバー９６は、短い壁部８８の端部８８ａの横フィンガー９０によって、第１の部分７０に対して回動する。横フィンガー９０は、コネクタ１０の各チークプレート３０の相補的な円筒状ハウジング９２内に受容される。
【００６９】
本発明によると、コネクタ１０は、カバー９６によって第１の部分７０が係合位置に固定される固定位置に、カバー９６を固定する固定手段を備えている。この係合位置では、第１の部分７０が、弾性的な嵌合によって、ワイパーアーム１６の前端部１４に係合している。
【００７０】
この例では、この固定手段は、カバー９６が固定位置にくると、長い壁部８６の底部水平面８６ｉから垂直下方に延びる弾性キャッチ、すなわち、フック９４からなっている。これらのフック９４は、ワイパーアーム１６の前端部１４の上部アーム２２と協働して、カバー９６を固定し、これにより、カバー９６が第２の横軸Ｂを中心に回動するのを防止する。
【００７１】
フック９４は、ワイパーアーム１６の前端部１４の上部アームの両側に延びるように、長い壁部８６の両側に横方向に配置されている。
【００７２】
フック９４は、弾性材料からなり、湾曲した各自由端がランプ形状部を有するため、カバー９６がその固定位置に向かって移動する際に、引込むことができる。
【００７３】
横方向バー３８が、カバー９６の長い壁部８６の後端部８６ａから右に向かって横方向に延びるように、横方向バー３８とカバー９６を、一体成形する。
【図面の簡単な説明】
【００７４】
【図１】アームおよびワイパーブレードユニットに取り付ける前の本発明のコネクタの斜視図である。
【図２Ａ】コネクタを駆動アームの端部に取り付ける第１の段階を示す、図１に類似した斜視図である。
【図２Ｂ】コネクタを駆動アームの端部に取り付ける第２の段階を示す、図１に類似した斜視図である。
【図２Ｃ】コネクタを駆動アームの端部に取り付ける第３の段階を示す、図１に類似した斜視図である。
【図３】駆動アームとワイパーブレードユニットを連結している本発明のコネクタを示す図１に類似した斜視図である。
【図４】コネクタのボディへの横方向ロッドの取付け方法を示す、図１のコネクタの水平断面図である。
【図５】横方向ロッドがワイパーブレードユニットの結合要素に保持されている、図１に示すコネクタに類似したコネクタの斜視図である。
【図６】キャップ状部を有するコネクタの別の実施形態の組立分解斜視図である。
【図７】ワイパーアームの前端部の周りに取り付けられた位置にあるコネクタを示す図６に類似した斜視図である。
【図８】図７に示すコネクタの横方向の垂直断面図である。
【図９】カバー状部を有するコネクタの別の実施形態の組立分解斜視図である。
【図１０】ワイパーアームの前端部の周りに取り付けられた位置にあるコネクタを示す図９に類似した斜視図である。
【符号の説明】
【００７５】
１０    コネクタ
１２    ワイパーブレードユニット
１４    前端部
１４ｅ    外面
１６    ワイパーアーム
１８    ワイパーブレード本体
２０    結合要素
２０ｄ    長手方向右垂直面
２０ｇ    長手方向左垂直面
２２    上部アーム
２４    下部アーム
２６    Ｕ型前部
２６ａ    凸状前面
２６ｂ    凹状後面
２８    ボディ
２８ａ    ボディ前面
２９    結合要素上面
３０    チークプレート
３２    横方向ロッド
３４    ハウジング
３５    ハウジング
３６    溝付き要素
３８    横方向バー
３８ｄ    横方向右端部
４０    横方向溝
４２    弾性突出部
４４    ブリッジ
４６    横部材
４８    ハウジング
７０    第１の部分
７２    キャップ
７４    フランジ
７６    Ｕ型壁部
７６ｉ    Ｕ型壁部内面
７８    開口
７８ａ    開口前面
８０    くびれ部
８２    前ハウジング
８４    内部溝
８６    長い壁部
８８    短い壁部
９０    横フィンガー
９２    円筒状ハウジング
９４    フック
９６    カバー
ｅ    ワイパーアームの厚さ
【図１】
2007534547.tif 000003
【図２ａ】
2007534547.tif 000004
【図２ｂ】
2007534547.tif 000005
【図２ｃ】
2007534547.tif 000006
【図３】
2007534547.tif 000007
【図４】
2007534547.tif 000008
【図５】
2007534547.tif 000009
【図６】
2007534547.tif 000010
【図７】
2007534547.tif 000011
【図８】
2007534547.tif 000012
【図９】
2007534547.tif 000013
【図１０】
2007534547.tif 000014
【国際調査報告】
2007534547.tif 000015
2007534547.tif 000016
2007534547.tif 000017
2007534547.tif 000018
2007534547.tif 000019
2007534547.tif 000020